(57)【要約】【課題】タッチスクリーンで一つの文字入力キーにいろんな文字と符号などを割り当て、文字入力キー上で上下左右、左上、左下、右上及び右下方向に線を引くと、該当文字が入力されるようにする、線引き方式の文字入力方法を提供する。【解決手段】本発明の文字入力方法は、タッチスクリーンで文字入力キーをタッチしたときに文字が入力されず、タッチスクリーンで文字入力キーをタッチしてから指を離すときと、文字入力キー上で上下左右、左上、左下、右上、右下方向に線を引くときに、入力キーに割り当てられた文字が入力されるようにする。【選択図】図１
2012160192.tif 000002
【特許請求の範囲】
【請求項１】
タッチスクリーンで文字入力キーをタッチしたときに文字が入力されず、前記タッチスクリーンで前記文字入力キーをタッチしてから指を離すときと、前記文字入力キー上で様々な方向にドラッグするときとに、前記文字入力キーに割り当てられた前記文字が入力されるようにすることを特徴とする、文字入力方法。
【請求項２】
少ない数の制限された入力キーを有する前記タッチスクリーンの文字盤において、前記文字入力キー上で前記様々な方向にドラッグして入力する方式を適用して日本語文字を入力することを特徴とする、請求項１に記載の文字入力方法。
【請求項３】
前記文字入力キーは、前記日本語文字の行入力キーであり、
各前記行入力キーは、前記日本語文字の行文字と、段文字と、数字とが割り当てられており、
前記行入力キーをタッチしてから指を離すとき、前記数字が入力され、前記行入力キー上で前記様々な方向にドラッグするとき、前記行入力キーに割り当てられた、ａ（あ）段、ｉ（い）段、ｕ（う）段、ｅ（え）段、ｏ（お）段に該当する文字が入力されるようにして、前記ａ（あ）段、前記ｉ（い）段、前記ｕ（う）段、前記ｅ（え）段、前記ｏ（お）段の全ての前記日本語文字を一つの前記行入力キーを用いて１回のドラッグで入力することができるように構成されたことを特徴とする、請求項２に記載の文字入力方法。
【請求項４】
前記様々な方向は、上方向と、下方向と、左方向と、右方向と、左上方向と、左下方向と、右上方向と、右下方向とを含み、
前記一つの行入力キーにおいて、前記左方向にドラッグすれば前記ａ（あ）段の文字が入力され、前記左下方向にドラッグすれば前記ｉ（い）段の文字が入力され、前記下方向にドラッグすれば前記ｕ（う）段の文字が入力され、前記右下方向にドラッグすれば前記ｅ（え）段の文字が入力され、前記右方向にドラッグすれば前記ｏ（お）段の文字が入力されることを特徴とする、請求項３に記載の文字入力方法。
【請求項５】
前記行入力キーは、アルファベット文字がさらに割り当てられており、
あ行の前記行入力キーに前記アルファベット文字の”Ｑ”と”Ｚ”とが割り当てられていることを特徴とする請求項３または４に記載の文字入力方法。
【請求項６】
前記文字入力キーは、日本語文字の行入力キーであり、
前記日本語文字の各前記行入力キーをタッチしてから指を離すとき、ａ（あ）段に該当する文字が入力され、前記行入力キー上で上下左右方向にドラッグするとき、設定されたｉ（い）段、ｕ（う）段、ｅ（え）段、ｏ（お）段に該当する文字が入力されるようにして、各行に属した前記ａ（あ）段、前記ｉ（い）段、前記ｕ（う）段、前記ｅ（え）段、前記ｏ（お）段の全ての文字を一つの前記行入力キーを用いて１回のドラッグで入力することができるように構成されたことを特徴とする、請求項２に記載の文字入力方法。
【請求項７】
少ない数の制限された入力キーを有する前記タッチスクリーンの文字盤において、前記文字入力キー上で前記様々な方向にドラッグして入力する方式を適用して韓国語文字を入力することを特徴とする、請求項１に記載の文字入力方法。
【請求項８】
前記文字入力キーは、前記韓国語文字の入力キーであり、
前記少ない数の制限された入力キーを有する前記タッチスクリーンの前記文字盤におい
2012160192.tif 000193
文字入力キーをタッチしてから指を離し或いは前記文字入力キー上で上下左右の所定の方
2012160192.tif 000194
と無声音を入力することができるように構成されたことを特徴とする、請求項７に記載の文字入力方法。
【請求項９】
2012160192.tif 000195
にし、
2012160192.tif 000196
タッチしてから指を離し或いは右方向に線を引くと「ー」が入力され、上方向に線を引くと
2012160192.tif 000197
音入力キー（１）および（２）で全ての前記母音を入力することができるようにすることを特徴とする、請求項８に記載の文字入力方法。
【請求項１０】
少ない数の制限された入力キーを有する前記タッチスクリーンの文字盤において、前記文字入力キー上で前記様々な方向にドラッグして英語のアルファベット文字を入力することを特徴とする、請求項１に記載の文字入力方法。
【請求項１１】
少ない数の制限された前記入力キーを有するタッチスクリーンの文字盤において、前記文字入力キー上で前記様々な方向に線を引いてアラビア語文字を入力することを特徴とする、請求項１に記載の文字入力方法。
【請求項１２】
少ない数の入力キーを有する文字盤において、一つの文字入力キーにいろんな文字を割り当て、上下左右、右上、右下、左上、左下方向にドラッグして該当文字を入力する方式で、日本語文字とアラビア数字と英語を、文字入力部を変換することなく同じ文字入力部で入力することを特徴とする、請求項２ないし６のいずれかに記載の文字入力方法。
【請求項１３】
少ない数の入力キーを有する文字盤において、一つの文字入力キーにいろんな文字を割り当て、上下左右、右上、右下、左上、左下方向にドラッグして該当文字を入力する方式で、韓国語文字とアラビア数字と英語を、文字入力部を変換することなく同じ文字入力部で入力することを特徴とする、請求項７ないし９のいずれかに記載の文字入力方法。
【請求項１４】
少ない数の入力キーを有する文字盤において、一つの文字入力キーにいろんな文字を割り当て、上下左右、右上、右下、左上、左下方向にドラッグして該当文字を入力する方式で、英語文字とアラビア数字とその他の特殊文字を、文字入力部を変換することなく同じ文字入力部で入力することを特徴とする、請求項１０に記載の文字入力方法。
【請求項１５】
少ない数の入力キーを有する文字盤において、一つの文字入力キーにいろんな文字を割り当て、上下左右、右上、右下、左上、左下方向にドラッグして該当文字を入力する方式で、アラビア語とアラビア数字と英語を、文字入力部を変換することなく同じ文字入力部で入力することを特徴とする、請求項１１に記載の文字入力方法。
【発明の詳細な説明】
【技術分野】
【０００１】  本発明は、タッチスクリーンにおいて一つの文字入力キーに様々な文字と符号などを割り当て、文字入力キー上で上下左右、左上、左下、右上及び右下方向に線を引くと、該当文字が入力されるようにする線引き（ドラッグ）方式の文字入力方法に関する。特に、このような線引き文字入力方式を適用することにより、少ない数の文字入力キーを有する文字入力部でも、文字入力部を変更することなく、同じ文字入力部で日本語と数字と英語を同時に入力する日本語文字入力方法と、文字入力部を変更することなく同じ文字入力部で韓国語と数字と英語を同時に入力する韓国語文字入力方法と、文字入力部を変更することなく同じ文字入力部で英語と数字と特殊文字を入力する英語文字入力方法と、文字入力部を変更することなく同じ文字入力部でアラビア語と数字と英語を同時に入力するアラビア語文字入力方法を行うことが可能な文字入力方法に関する。
【背景技術】
【０００２】  国際化時代にあって、タッチスクリーン上で文字を入力する際に、自国の言語以外にも、世界各国の言語の入力が必要であるとともに、短い文字メッセージの送信においても、約束時間や日付、場所、Ｗｅｂサイトのアドレス、電子メールのアドレスなどを入力するためにアラビア数字及び英語の入力が必要である。一方、スマートフォンやナビゲーターなどのようにタッチスクリーンの大きさが小さくなっており、綴字の数と模様の異なる様々な文字により文字入力部の形態が多様化されつつある。いろんな形態の文字盤の使用にあたって、周辺の多数の機能キーが不規則的に配列されていて使用が不便であり、文字や符号、英語、数字などを入力するために文字入力部を変更しなければならないうえ、これに伴って変わる周辺の機能キーにより文字入力が非常に不便であった。
【先行技術文献】
【特許文献】
【０００３】
【特許文献１】  特開平５−２９８２６２号公報
【発明の概要】
【発明が解決しようとする課題】
【０００４】  上述したような問題点を解決するために、本発明の文字入力方法は、様々な方向に線を引く（ドラッグ）方式で文字を入力するものであって、一つの文字入力キーにおいて９個の互いに異なる位置に方向性を与えて９個の互いに異なる文字又は符号を入力することができる。そのため、文字の入力に必要な文字入力キーの数を減らすことができ、タッチスクリーンにおける文字入力部の占有空間を減らし、画面を効率よく管理し、文字の入力に必要なタッチ数を減らし、文字の入力に必要な手間を減らすうえ、綴字の数と模様の異なる世界各国の言語を、少ない数の入力キーを有する統一された形態の文字入力部で文字入力することを可能とする。【０００５】  また、日本語、韓国語、英語、アラビア語などの各国言語の文字を、文字入力部を変更することなく、同じ文字入力部上でアラビア数字、英語、特殊記号などと同時に入力することができる。例えば、図２〜図５に示すように、４行３列の少ない数の入力キーを有する既存の携帯電話と同じ形態の文字入力部で、文字入力部を変更することなく、同じ文字入力部を用いて、日本語とアラビア数字と英語を同時に入力することができ、韓国語とアラビア数字と英語を同時に入力することができ、英語とアラビア数字と特殊記号を同時に入力することができ、さらにアラビア語とアラビア数字と英語を同時に入力することができる。その他にも、いろんな文字と記号、符号などを、少ない数の入力キーを有する文字入力部でも、文字入力部を変更することなく同じ文字入力部上で同時に入力することができる。【０００６】  すなわち、本発明は、タッチスクリーンにおいて、各言語の綴字の数を問わず、全ての言語の文字入力に必要な文字入力キーの数を減らして、全ての言語を同じ形態の統一された文字盤で入力することを可能とし、文字の入力に必要なタッチ数を減らして文字の入力にかかる手間を減らし、文字の入力に必要な空間を減らして両面を効率よく使用することを可能とする。本発明の方法で日本語、英語、アラビア語及び韓国語における文字の入力を既存の入力方式と比較して、一層迅速且つ便利にし、少ない数の入力キーを有する文字入力部でも、文字入力部を変更することなく、同じ文字入力部を用いて、日本語とアラビア数字と英語を同時に入力する可能な日本語文字入力方法、韓国語とアラビア数字と特殊記号を同時に入力することが可能な韓国語文字入力方法、英語とアラビア数字と特殊記号を同時に入力することが可能な英語入力方法、及びアラビア語とアラビア数字と英語を同時に入力することが可能なアラビア語文字入力方法を提供する。
【課題を解決するための手段】
【０００７】  本発明は、スマートフォン、ナビゲーター、コンピュータのタッチスクリーンにおいて、一つの文字入力キーに様々な文字と符号と数字を割り当て、文字入力キー上で上下左右、左上、左下、右上及び右下方向に線を引く（ドラッグまたはフリックする）と、該当文字が入力されるようにする方式であって、一つの文字入力キーを用いて９個の互いに異なる文字入力を可能とするものである。【０００８】  また、本発明の文字入力方法を適用することにより、日本語、韓国語、英語、アラビア語などの各国言語の文字を、少ない数の入力キーを有する統一された形態の文字入力部で入力することができ、既存の文字入力方法と比較して入力打数を減らし、文字入力速度を高め、文字入力部を変更することなく同じ文字入力部を用いて各国の文字を数字、英語、特殊記号などと同時に入力することができるようにするものである。【０００９】  図１はタッチスクリーンにおいて様々な方向に線を引く方式の文字入力方法を示す。図１に示すように、文字の入力のために下記文字入力キー（１）に１、２、３、４、５、６、７、８、９を割り当て、下記文字入力キー（１）をタッチしたときに文字が入力されず、タッチスクリーンをタッチしてから指を離すときに「５」が入力されるようにしている（タップ）。【００１０】
2012160192.tif 000003
【００１１】  上記文字入力キー（１）で左上方向に線を引くと「１」が入力され、上方向に線を引くと「２」が入力され、右上方向に線を引くと「３」が入力され、左方向に線を引くと「４」が入力され、右方向に線を引くと「６」が入力され、左下方向に線を引くと「７」が入力され、下方向に線を引くと「８」が入力され、右下方向に線を引くと「９」が入力されるようにする。このような方法で一つの文字入力キーを用いて１回の線引きを行うことにより、互いに異なる９個の文字を入力することができる。【００１２】  図２はタッチスクリーンにおいて様々な方向に線を引く方式で、日本語文字とアラビア数字と英語を、文字入力部を変更することなく、同じ文字入力部を用いて同時に入力する日本語文字入力方法を示す。【００１３】  日本語文字入力部において、下記文字入力キー（２）〜（１３）の上下左右、右上、右下、左上、左下、中央に日本語と英語とアラビア数字を割り当て、各入力キー上で上下左右、右上、右下、左上、左下方向に線を引くときと、文字入力キーをタッチしてから指を離すときに、該当文字が入力される。【００１４】
2012160192.tif 000004
【００１５】
2012160192.tif 000005
【００１６】
2012160192.tif 000006
【００１７】
2012160192.tif 000007
【００１８】
2012160192.tif 000008
【００１９】
2012160192.tif 000009
【００２０】
2012160192.tif 000010
【００２１】
2012160192.tif 000011
【００２２】
2012160192.tif 000012
【００２３】
2012160192.tif 000013
【００２４】
2012160192.tif 000014
【００２５】
2012160192.tif 000015
【００２６】  図２に示すように、下記１番入力キー（１４）から下記０番入力キー（１５）まで、あ行、か行、さ行、た行、な行、は行、ま行、や行、ら行、わ行を割り当て、各入力キー上で左、左下、下、右下、右方向に線を引くと、各行のａ（あ）段、ｉ（い）段、ｕ（う）段、ｅ（え）段、ｏ（お）段に該当する文字が入力される。【００２７】
2012160192.tif 000016
【００２８】
2012160192.tif 000017
【００２９】  また、それぞれの文字入力キーの左上、上、右上側に英語文字をアルファベット順で割り当て、文字入力キー上で左上、上、右上方向に線を引くと、入力キーに割り当てられた英語文字が入力される。【００３０】  また、それぞれの文字入力キーをタッチしてから指を離すと、入力キーに割り当てられたアラビア数字が入力される。【００３１】  図３は、タッチスクリーンにおいて、様々な方向に線を引く方式で、韓国語とアラビア数字と英語を、文字入力部を変換することなく、同じ文字入力部を用いて入力する韓国語文字入力方法を示す。【００３２】  韓国語文字入力部において、下記文字入力キー（１６）〜（２７）の上下左右、右上、右下、左上、左下、中央に韓国語と英語とアラビア数字を割り当て、各入力キー上で上下左右、右上、右下、左上、左下方向に線を引くときと、文字入力キーをタッチしてから指を離すときに、該当文字が入力される。【００３３】
2012160192.tif 000018
【００３４】
2012160192.tif 000019
【００３５】
2012160192.tif 000020
【００３６】
2012160192.tif 000021
【００３７】
2012160192.tif 000022
【００３８】
2012160192.tif 000023
【００３９】
2012160192.tif 000024
【００４０】
2012160192.tif 000025
【００４１】
2012160192.tif 000026
【００４２】
2012160192.tif 000027
【００４３】
2012160192.tif 000028
【００４４】
2012160192.tif 000029
【００４５】  図３に示すように、下記１番入力キー（２８）から下記０番入力キー（２９）まで韓国語の子音を子音の順で割り当て、入力キーをタッチしてから指を離すと、文字入力キーに割り当てられた子音が入力される。【００４６】
2012160192.tif 000030
【００４７】
2012160192.tif 000031
【００４８】
2012160192.tif 000032
（３４）上で右方向に線を引くと入力される。【００４９】
2012160192.tif 000033
【００５０】
2012160192.tif 000034
【００５１】
2012160192.tif 000035
【００５２】
2012160192.tif 000036
【００５３】
2012160192.tif 000037
【００５４】
2012160192.tif 000038
上で下方向に線を引くと入力される。【００５５】
2012160192.tif 000039
【００５６】
2012160192.tif 000040
【００５７】
2012160192.tif 000041
【００５８】
2012160192.tif 000042
【００５９】
2012160192.tif 000043
【００６０】
2012160192.tif 000044
【００６１】
2012160192.tif 000045
【００６２】
2012160192.tif 000046
【００６３】
2012160192.tif 000047
「ー」が入力される。【００６４】
2012160192.tif 000048
【００６５】
2012160192.tif 000049
【００６６】
2012160192.tif 000050
【００６７】  また、それぞれの文字入力キーの左上、上、右上側に英語文字をアルファベット順で割り当て、文字入力キー上で左上、上、右上方向に線を引くと、入力キーに割り当てられた英語文字が入力される。【００６８】  また、それぞれの文字入力キー上で左方向に線を引くと、入力キーに割り当てられたアラビア数字が入力される。【００６９】  図４はタッチスクリーンにおいて、様々な方向に線を引く方式で、英語とアラビア数字とその他の特殊文字を、文字入力部を変更することなく、同じ文字入力部を用いて入力する英語文字入力方法を示す。【００７０】  英語文字入力部において、下記文字入力キー（４３）〜（５２）の中央にアラビア数字を割り当て、上下左右、右上、右下、左上、左下方向に英語文字や特殊記号などを割り当て、入力キー上で様々な方向に線を引くときと、文字入力キーをタッチしてから指を離すときに、該当文字が入力される。【００７１】
2012160192.tif 000051
【００７２】
2012160192.tif 000052
【００７３】
2012160192.tif 000053
【００７４】
2012160192.tif 000054
【００７５】
2012160192.tif 000055
【００７６】
2012160192.tif 000056
【００７７】
2012160192.tif 000057
【００７８】
2012160192.tif 000058
【００７９】
2012160192.tif 000059
【００８０】
2012160192.tif 000060
【００８１】  図４に示すように、下記１番入力キー（５３）から下記９番入力キー（５４）まで英語文字をアルファベット順で左下、下、右下側に割り当て、入力キー上で左下、下、右下方向に線を引くと、該当英語文字が入力される。【００８２】
2012160192.tif 000061
【００８３】
2012160192.tif 000062
【００８４】  下記１番入力キー（５５）から下記０番入力キー（５６）まで中央にアラビア数字を割り当て、入力キーをタッチしてから指を離すときに該当数字が入力される。【００８５】
2012160192.tif 000063
【００８６】
2012160192.tif 000064
【００８７】  また、入力キーの残りの様々な方向に特殊文字や記号などを割り当て、文字入力部を変更することなく、同じ文字入力部を用いて共に入力することができる。【００８８】  図５はタッチスクリーンにおいて様々な方向に線を引く方式で、アラビア語とアラビア数字と英語を、文字入力部を変更することなく、同じ文字入力部を用いて入力するアラビア語文字入力方法を示す。【００８９】  アラビア語文字入力部において、下記文字入力キー（５７）〜（６８）の中央にアラビア数字を割り当て、上下左右、右上、右下、左上、左下にアラビア語と英語を割り当て、各入力キー上で上下左右、右上、右下、左上、左下方向に線を引くときと、文字入力キーをタッチしてから指を離すときに該当文字が入力される。【００９０】
2012160192.tif 000065
【００９１】
2012160192.tif 000066
【００９２】
2012160192.tif 000067
【００９３】
2012160192.tif 000068
【００９４】
2012160192.tif 000069
【００９５】
2012160192.tif 000070
【００９６】
2012160192.tif 000071
【００９７】
2012160192.tif 000072
【００９８】
2012160192.tif 000073
【００９９】
2012160192.tif 000074
【０１００】
2012160192.tif 000075
【０１０１】
2012160192.tif 000076
【０１０２】  図５に示すように、それぞれの文字入力キーの上下左右、右上、右下、左上、左下側に２６個のアラビア語の子音、６個の母音及び２個の二重母音を始めとして発音符号及び特殊記号などを割り当て、上下左右、右上、右下、左上、左下方向に線を引くと、該当文字が入力される。【０１０３】  また、それぞれの文字入力キーの左上、上、右上側に英語文字をアルファベット順で割り当て、文字入力キー上で左上、上、右上方向に線を引くと、入力キーに割り当てられた英語文字が入力される。【０１０４】  また、それぞれの文字入力キーをタッチしてから指を離すと、入力キーに割り当てられたアラビア数字が入力される。
【発明の効果】
【０１０５】  本発明は、次の効果を有する。【０１０６】  １）タッチスクリーンにおいて、一つの文字入力キーを用いて１回の線引きで９個の互いに異なる文字を入力することができる。【０１０７】  ２）一つの文字入力キーで多くの文字を入力することができるため、世界各国の文字が多い綴字数および多様な模様を持っていても、少ない数の入力キーを有する統一された形態の文字盤で入力を行うことができる。【０１０８】  ３）携帯電話のような４行３列の制限された数の入力キーを有する文字盤の形でも、世界の全ての言語の文字を１回の線引きを介して入力することができる【０１０９】  ４）文字入力部の大きさを小さくすることができるため、タッチスクリーンにおいて画面を効率よく管理することができる。【０１１０】  ５）文字の入力に必要なタッチ数を減らし、文字の入力に必要な手間を減らすことができる。【０１１１】  ６）日本語文字の入力の際に、携帯電話のような４行３列の制限された数の入力キーを有する文字盤の形態で、従来の方式は入力のために１回〜５回タッチしなければならなかったが、本発明に係る文字入力キーで様々な方向に線を引く方式は１回の線引きで入力することができる。【０１１２】  ７）韓国語の子音入力の際に、携帯電話のような４行３列の制限された数の入力キーを有する文字盤の形態で、従来の方式は入力のために１回〜３回タッチしなければならず或いは綴字と双子音用ファンクションキーを必要としたが、本発明に係る文字入力キーで様々な方向に線を引く方式はファンクションキーも必要とせず、１回の線引きで入力することができる。【０１１３】  ８）韓国語の母音入力の際に、携帯電話のような４行３列の制限された数の入力キーを有する文字盤の形態で、従来の方式で３個以上の入力キーを用いて多数回タッチして入力するが、本発明に係る文字入力キーで様々な方向に線を引く方式は２個の入力キーを必要
2012160192.tif 000077
いは添え字用ファンクションキーを使用することなく、割り当てられた同一のキーで入力することができる。【０１１４】  ９）英語のアルファベット入力の際に、携帯電話のような４行３列の制限された数の入力キーを有する文字盤の形態で、従来の方式は入力のために１回〜３回程度をタッチしなければならなかったが、本発明に係る文字入力キーで様々な方向に線を引く方式は１回の線引きで入力することができる。【０１１５】  １０）携帯電話のような４行３列の制限された数の入力キーを有する文字盤の形態で、直接入力が不可能であったアラビア語文字を１回の線引きで全て入力することができる。【０１１６】  １１）日本語の文字入力の際に、アラビア数字と英語を、文字入力部を変更することなく同じ文字入力部で同時に入力することができる。【０１１７】  １２）韓国語の文字入力の際に、アラビア数字と英語を、文字入力部を変更することなく同じ文字入力部で同時に入力することができる。【０１１８】  １３）英語の文字入力の際に、アラビア数字とその他の特殊文字を、文字入力部を変更することなく同じ文字入力部で同時に入力することができる。【０１１９】  １４）アラビア語の文字入力の際に、アラビア数字と英語を、文字入力部を変更換することなく同じ文字入力部で同時に入力することができる。
【図面の簡単な説明】
【０１２０】
【図１】本発明の文字入力方法で、一つの文字入力キーに様々な文字を割り当て、上下左右、右上、右下、左上、左下方向に線を引く方式で文字を入力する方法を示す図である。
【図２】線を引く方式で日本語と英語と数字を同じ文字入力部で共に入力する日本語文字入力方法を示す図である。
【図３】線を引く方式で韓国語と英語と数字を同じ文字入力部で共に入力する韓国語文字入力方法を示す図である。
【図４】線を引く方式で英語と数字と特殊文字を同じ文字入力部で共に入力する英語文字入力方法を示す図である。
【図５】線を引く方式でアラビア語と英語と数字を同じ文字入力部で共に入力するアラビア語文字入力方法を示す図である。
【発明を実施するための形態】
【０１２１】  以下に添付図面を参照しながら、一つの文字入力キーに様々な文字を割り当て、上下左右、右上、右下、左上、左下方向に線を引く（ドラッグまたはフリックする）方式で文字を入力する方法と、４行３列の少ない数の入力キーを有する既存の携帯電話文字盤のような形態で、日本語、韓国語、英語又はアラビア語文字を、文字入力キー上で様々な方向に線を引く方式で、文字入力部の変更なしに同じ画面上で数字、英語及び特殊文字と共に入力する方法について詳細に説明する。
【０１２２】  図１に示すように、一つの下記文字入力キー（１）に１、２、３、４、５、６、７、８、９を割り当てたとき、「１」は下記文字入力キー（１）上で左上方向に線を引くと入力され、「２」は下記文字入力キー（１）上で上方向に線を引くと入力され、「３」は下記文字入力キー（１）上で右上方向に線を引くと入力され、「４」は下記文字入力キー（１）上で左方向に線を引くと入力され、「５」は下記文字入力キー（１）をタッチして画面から指を離すときに（タップすると）入力され、「６」は下記文字入力キー（１）上で右方向に線を引くと入力され、「７」は下記文字入力キー（１）上で左下方向に線を引くと入力され、「８」は下記文字入力キー（１）上で下方向に線を引くと入力され、「９」は下記文字入力キー（１）上で右下方向に線を引くと入力される。
【０１２３】
2012160192.tif 000078
【０１２４】  少ない数の入力キーを有する文字盤において、一つの文字入力キーに様々な文字を割り当て、上下左右、右上、右下、左上、左下方向に線を引いて該当文字を入力する方式で、日本語文字とアラビア数字と英語を、文字入力部を変更することなく同じ文字入力部を用いて入力する日本語文字入力方法は、図２を参照して説明する。
【０１２５】  図２に提示された、あ行、か行、さ行、た行、な行、は行、ま行、や行、ら行、わ行の入力キーの配置は、既存の携帯電話の４行３列の日本語文字盤と同様である。
【０１２６】  携帯電話のような４行３列の制限された数の入力キーを有する文字盤の形態で、既存の日本語文字入力方法は、各行の入力キーを１回〜５回タッチすることにより、各行のａ（あ）段、ｉ（い）段、ｕ（う）段、ｅ（え）段、ｏ（お）段に該当する文字が入力されるようにする。
【０１２７】  ところが、本発明によれば、図２に示すように、下記１番入力キー（２）上で、左方向に線を引くと「あ」が入力され、左下、下、右下、右方向に線を引くとそれぞれ「い」、「う」、「え」、「お」が入力され、左上、上、右上方向に線を引くとそれぞれ「．」、「Ｑ」、「Ｚ」が入力され、入力キーをタッチしてから指を離すと「１」が入力される。
【０１２８】
2012160192.tif 000079
【０１２９】  下記２番入力キー（３）上で、左方向に線を引くと「か」が入力され、左下、下、右下、右方向に線を引くとそれぞれ「き」、「く」、「け」、「こ」が入力され、左上、上、右上方向に線を引くとそれぞれ「Ａ」、「Ｂ」、「Ｃ」が入力され、入力キーをタッチしてから指を離すと「２」が入力される。
【０１３０】
2012160192.tif 000080
【０１３１】  下記３番入力キー（４）上で、左方向に線を引くと「さ」が入力され、左下、下、右下、右方向に線を引くとそれぞれ「し」、「す」、「せ」、「そ」が入力され、左上、上、右上方向に線を引くとそれぞれ「Ｄ」、「Ｅ」、「Ｆ」が入力され、入力キーをタッチしてから指を離すと「３」が入力される。
【０１３２】
2012160192.tif 000081
【０１３３】  下記４番入力キー（５）上で、左方向に線を引くと「た」が入力され、左下、下、右下、右方向に線を引くとそれぞれ「ち」、「つ」、「て」、「と」が入力され、左上、上、右上方向に線を引くとそれぞれ「Ｇ」、「Ｈ」、「Ｉ」が入力され、入力キーをタッチしてから指を離すと「４」が入力される。
【０１３４】
2012160192.tif 000082
【０１３５】  下記５番入力キー（６）上で、左方向に線を引くと「な」が入力され、左下、下、右下、右方向に線を引くとそれぞれ「に」、「ぬ」、「ね」、「の」が入力され、左上、上、右上方向に線を引くとそれぞれ「Ｊ」、「Ｋ」、「Ｌ」が入力され、入力キーをタッチしてから指を離すと「５」が入力される。
【０１３６】
2012160192.tif 000083
【０１３７】  下記６番入力キー（７）上で、左方向に線を引くと「は」が入力され、左下、下、右下、右方向に線を引くとそれぞれ「ひ」、「ふ」、「へ」、「ほ」が入力され、左上、上、右上方向に線を引くとそれぞれ「Ｍ」、「Ｎ」、「Ｏ」が入力され、入力キーをタッチしてから指を離すと「６」が入力される。
【０１３８】
2012160192.tif 000084
【０１３９】  下記７番入力キー（８）上で、左方向に線を引くと「ま」が入力され、左下、下、右下、右方向に線を引くとそれぞれ「み」、「む」、「め」、「も」が入力され、左上、上、右上方向に線を引くとそれぞれ「Ｐ」、「Ｒ」、「Ｓ」が入力され、入力キーをタッチしてから指を離すと「７」が入力される。
【０１４０】
2012160192.tif 000085
【０１４１】  下記８番入力キー（９）上で、左方向に線を引くと「や」が入力され、下方向に線を引くと「ゆ」が入力され、右方向に線を引くと「よ」が入力され、左上、上、右上方向に線を引くとそれぞれ「Ｔ」、「Ｕ」、「Ｖ」が入力され、入力キーをタッチしてから指を離すと「８」が入力される。
【０１４２】
2012160192.tif 000086
【０１４３】  下記９番入力キー（１０）上で、左方向に線を引くと「ら」が入力され、左下、下、右下、右方向に線を引くとそれぞれ「り」、「る」、「れ」、「ろ」が入力され、左上、上、右上方向に線を引くとそれぞれ「Ｗ」、「Ｘ」、「Ｙ」が入力され、入力キーをタッチしてから指を離すと「９」が入力される。
【０１４４】
2012160192.tif 000087
【０１４５】  下記０番入力キー（１１）上で、左方向に線を引くと「わ」が入力され、右方向に線を引くと「を」が入力される。下記０番入力キー（１１）上で下方向に線を引くと、「ん」が入力される。
【０１４６】
2012160192.tif 000088
【０１４７】  促音と半濁音と濁音は、別途の下記入力キー（１２）、（１３）で追加する。
【０１４８】
2012160192.tif 000089
【０１４９】
2012160192.tif 000090
【０１５０】  少ない数の入力キーを有する文字盤において、文字入力キーに様々な文字を割り当て、上下左右、右上、右下、左上、左下方向に線を引いて該当文字を入力する方式で、韓国語とアラビア数字と英語を、文字入力部を変更することなく同じ文字入力部を用いて入力する韓国語文字入力方法は、図３を参照して説明する。
【０１５１】  図面に提示された文字盤は、携帯電話のように制限された数の入力キーを有する４行３列の文字盤の形態である。
【０１５２】
2012160192.tif 000091
左上、上、右上方向に線を引くとそれぞれ「．」、「Ｑ」、「Ｚ」が入力され、左方向に線を引くと「１」が入力される。
【０１５３】
2012160192.tif 000092
【０１５４】
2012160192.tif 000093
上、右上方向に線を引くとそれぞれ「Ａ」、「Ｂ」、「Ｃ」が入力され、左方向に線を引くと「２」が入力される。
【０１５５】
2012160192.tif 000094
【０１５６】
2012160192.tif 000095
向に線を引くとそれぞれ「Ｄ」、「Ｅ」、「Ｆ」が入力され、左方向に線を引くと「３」が入力される。
【０１５７】
2012160192.tif 000096
【０１５８】
2012160192.tif 000097
上、右上方向に線を引くとそれぞれ「Ｇ」、「Ｈ」、「Ｉ」が入力され、左方向に線を引くと「４」が入力される。
【０１５９】
2012160192.tif 000098
【０１６０】
2012160192.tif 000099
上、右上方向に線を引くとそれぞれ「Ｊ」、「Ｋ」、「Ｌ」が入力され、左方向に線を引くと「５」が入力される。
【０１６１】
2012160192.tif 000100
【０１６２】
2012160192.tif 000101
「Ｏ」が入力され、左方向に線を引くと「６」が入力される。
【０１６３】
2012160192.tif 000102
【０１６４】
2012160192.tif 000103
「Ｓ」が入力され、左方向に線を引くと「７」が入力される。
【０１６５】
2012160192.tif 000104
【０１６６】
2012160192.tif 000105
上、右上方向に線を引くとそれぞれ「Ｔ」、「Ｕ」、「Ｖ」が入力され、左方向に線を引くと「８」が入力される。
【０１６７】
2012160192.tif 000106
【０１６８】
2012160192.tif 000107
方向に線を引くとそれぞれ「Ｗ」、「Ｘ」、「Ｙ」が入力され、左方向に線を引くと「９」が入力される。
【０１６９】
2012160192.tif 000108
【０１７０】
2012160192.tif 000109
に線を引くと「０」が入力される。
【０１７１】
2012160192.tif 000110
【０１７２】
2012160192.tif 000111
【０１７３】
2012160192.tif 000112
【０１７４】
2012160192.tif 000113
【０１７５】
2012160192.tif 000114
【０１７６】
2012160192.tif 000115
と、「ー」が入力される。
【０１７７】
2012160192.tif 000116
【０１７８】
2012160192.tif 000117
【０１７９】
2012160192.tif 000118
【０１８０】  少ない数の入力キーを有する文字盤において、文字入力キーにいろんな文字を割り当て、上下左右、右上、右下、左上、左下方向に線を引いて該当文字を入力する方式で、英語とアラビア数字とその他の特殊文字を、文字入力部を変更することなく、同じ文字入力部を用いて入力する英語文字入力方法は、図４を参照して説明する。
【０１８１】  下記１番入力キー（２８）上で、左下、下、右下方向に線を引くとそれぞれ「．」、「Ｑ」、「Ｚ」が入力され、入力キーをタッチしてから指を離すと「１」が入力される。
【０１８２】
2012160192.tif 000119
【０１８３】  下記２番入力キー（２９）上で、左下、下、右下方向に線を引くとそれぞれ「Ａ」、「Ｂ」、「Ｃ」が入力され、入力キーをタッチしてから指を離すと「２」が入力される。
【０１８４】
2012160192.tif 000120
【０１８５】  下記３番入力キー（３０）上で、左下、下、右下方向に線を引くとそれぞれ「Ｄ」、「Ｅ」、「Ｆ」が入力され、入力キーをタッチしてから指を離すと「３」が入力される。
【０１８６】
2012160192.tif 000121
【０１８７】  下記４番入力キー（３１）上で、左下、下、右下方向に線を引くとそれぞれ「Ｇ」、「Ｈ」、「Ｉ」が入力され、入力キーをタッチしてから指を離すと「４」が入力される。
【０１８８】
2012160192.tif 000122
【０１８９】  下記５番入力キー（３２）上で、左下、下、右下方向に線を引くとそれぞれ「Ｊ」、「Ｋ」、「Ｌ」が入力され、入力キーをタッチしてから指を離すと「５」が入力される。
【０１９０】
2012160192.tif 000123
【０１９１】  下記６番入力キー（３３）上で、左下、下、右下方向に線を引くとそれぞれ「Ｍ」、「Ｎ」、「Ｏ」が入力され、入力キーをタッチしてから指を離すと「６」が入力される。
【０１９２】
2012160192.tif 000124
【０１９３】  下記７番入力キー（３４）上で、左下、下、右下方向に線を引くとそれぞれ「Ｐ」、「Ｒ」、「Ｓ」が入力され、入力キーをタッチしてから指を離すと「７」が入力される。
【０１９４】
2012160192.tif 000125
【０１９５】  下記８番入力キー（３５）上で、左下、下、右下方向に線を引くとそれぞれ「Ｔ」、「Ｕ」、「Ｖ」が入力され、入力キーをタッチしてから指を離すと「８」が入力される。
【０１９６】
2012160192.tif 000126
【０１９７】  下記９番入力キー（３６）上で、左下、下、右下方向に線を引くとそれぞれ「Ｗ」、「Ｘ」、「Ｙ」が入力され、入力キーをタッチしてから指を離すと「９」が入力される。
【０１９８】
2012160192.tif 000127
【０１９９】  下記０番入力キー（３７）をタッチしてから指を離すと、「０」が入力される。
【０２００】
2012160192.tif 000128
【０２０１】  各入力キーの残りの様々な方向に特殊文字や記号などを割り当て、英語及びアラビア数字を同じ文字入力部で共に入力することができる。
【０２０２】  少ない数の入力キーを有する文字盤において、文字入力キーにいろんな文字を割り当て、上下左右、右上、右下、左上、左下方向に線を引いて該当文字を入力する方式で、アラビア語とアラビア数字と英語を、文字入力部を変更することなく同じ文字入力部を用いて入力するアラビア語文字入力方法は、図５を参照して説明する。
【０２０３】  下記１番入力キー（３８）上で、右方向に線を引くと下記文字（１）が入力され、下方向に線を引くと下記文字（２）が入力され、左方向に線を引くと下記文字（３）が入力される。また、左上、上、右上方向に線を引くとそれぞれ「．」、「Ｑ」、「Ｚ」が入力され、入力キーをタッチしてから指を離すと「１」が入力される。
【０２０４】
2012160192.tif 000129
【０２０５】
2012160192.tif 000130
【０２０６】
2012160192.tif 000131
【０２０７】
2012160192.tif 000132
【０２０８】  下記２番入力キー（３９）上で、右方向に線を引くと下記文字（４）が入力され、下方向に線を引くと下記文字（５）が入力され、左方向に線を引くと下記文字（６）が入力される。また、左上、上、右上方向に線を引くとそれぞれ「Ａ」、「Ｂ」、「Ｃ」が入力され、入力キーをタッチしてから指を離すと「２」が入力される。
【０２０９】
2012160192.tif 000133
【０２１０】
2012160192.tif 000134
【０２１１】
2012160192.tif 000135
【０２１２】
2012160192.tif 000136
【０２１３】  下記３番入力キー（４０）上で、右方向に線を引くと下記文字（７）が入力され、下方向に線を引くと下記文字（８）が入力され、左方向に線を引くと下記文字（９）が入力される。また、左上、上、右上方向に線を引くとそれぞれ「Ｄ」、「Ｅ」、「Ｆ」が入力され、入力キーをタッチしてから指を離すと「３」が入力される。
【０２１４】
2012160192.tif 000137
【０２１５】
2012160192.tif 000138
【０２１６】
2012160192.tif 000139
【０２１７】
2012160192.tif 000140
【０２１８】  下記４番入力キー（４１）上で、右方向に線を引くと下記文字（１０）が入力され、右下方向に線を引くと下記文字（１１）が入力され、左方向に線を引くと下記文字（１２）が入力され、左下方向に線を引くと下記文字（１３）が入力される。また、左上、上、右上方向に線を引くと、それぞれ「Ｇ」、「Ｈ」、「Ｉ」が入力され、入力キーをタッチしてから指を離すと「４」が入力される。
【０２１９】
2012160192.tif 000141
【０２２０】
2012160192.tif 000142
【０２２１】
2012160192.tif 000143
【０２２２】
2012160192.tif 000144
【０２２３】
2012160192.tif 000145
【０２２４】  下記５番入力キー（４２）上で、右方向に線を引くと下記文字（１４）が入力され、右下方向に線を引くと下記文字（１５）が入力され、左方向に線を引くと下記文字（１６）が入力され、左下方向に線を引くと下記文字（１７）が入力される。また、左上、上、右上方向に線を引くとそれぞれ「Ｊ」、「Ｋ」、「Ｌ」が入力され、入力キーをタッチしてから指を離すと「５」が入力される。
【０２２５】
2012160192.tif 000146
【０２２６】
2012160192.tif 000147
【０２２７】
2012160192.tif 000148
【０２２８】
2012160192.tif 000149
【０２２９】
2012160192.tif 000150
【０２３０】  下記６番入力キー（４３）上で、右方向に線を引くと、下記文字（１８）が入力され、右下方向に線を引くと下記文字（１９）が入力され、左方向に線を引くと下記文字（２０）が入力され、左下方向に線を引くと下記文字（２１）が入力される。また、左上、上、右上方向に線を引くとそれぞれ「Ｍ」、「Ｎ」、「Ｏ」が入力され、入力キーをタッチしてから指を離すと「６」が入力される。
【０２３１】
2012160192.tif 000151
【０２３２】
2012160192.tif 000152
【０２３３】
2012160192.tif 000153
【０２３４】
2012160192.tif 000154
【０２３５】
2012160192.tif 000155
【０２３６】  下記７番入力キー（４４）上で、右方向に線を引くと下記文字（２２）が入力され、右下方向に線を引くと下記文字（２３）が入力され、左方向に線を引くと下記文字（２４）が入力される。また、左上、上、右上方向に線を引くとそれぞれ「Ｐ」、「Ｒ」、「Ｓ」が入力され、入力キーをタッチしてから指を離すと「７」が入力される。
【０２３７】
2012160192.tif 000156
【０２３８】
2012160192.tif 000157
【０２３９】
2012160192.tif 000158
【０２４０】
2012160192.tif 000159
【０２４１】  下記８番入力キー（４５）上で、右方向に線を引くと下記文字（２５）が入力され、右下方向に線を引くと下記文字（２６）が入力され、左方向に線を引くと下記文字（２７）が入力され、左下方向に線を引くと下記文字（２８）が入力される。また、左上、上、右上方向に線を引くとそれぞれ「Ｔ」、「Ｕ」、「Ｖ」が入力され、入力キーをタッチしてから指を離すと「８」が入力される。
【０２４２】
2012160192.tif 000160
【０２４３】
2012160192.tif 000161
【０２４４】
2012160192.tif 000162
【０２４５】
2012160192.tif 000163
【０２４６】
2012160192.tif 000164
【０２４７】  下記９番入力キー（４６）上で、右方向に線を引くと下記文字（２９）が入力され、右下方向に線を引くと下記文字（３０）が入力され、左方向に線を引くと下記文字（３１）が入力され、左下方向に線を引くと下記文字（３２）が入力される。また、左上、上、右上方向に線を引くとそれぞれ「Ｗ」、「Ｘ」、「Ｙ」が入力され、入力キーをタッチしてから指を離すと「９」が入力される。
【０２４８】
2012160192.tif 000165
【０２４９】
2012160192.tif 000166
【０２５０】
2012160192.tif 000167
【０２５１】
2012160192.tif 000168
【０２５２】
2012160192.tif 000169
【０２５３】  下記０番入力キー（４７）上で、右上方向に線を引くと下記記号（１）が入力され、右方向に線を引くと下記記号（２）が入力され、右下方向に線を引くと下記記号（３）が入力される。また、左上方向に線を引くと下記記号（４）が入力され、左方向に線を引くと下記記号（５）が入力され、左下方向に線を引くと下記文字（６）が入力され、下方向に線を引くと「＠」が入力される。
【０２５４】
2012160192.tif 000170
【０２５５】
2012160192.tif 000171
【０２５６】
2012160192.tif 000172
【０２５７】
2012160192.tif 000173
【０２５８】
2012160192.tif 000174
【０２５９】
2012160192.tif 000175
【０２６０】
2012160192.tif 000176
【０２６１】  下記単母音文字（３３）、下記単母音文字（３４）、下記単母音文字（３５）の入力の際に、下記入力キー４８上で、右上方向に線を引くと下記単母音文字（３３）が入力され、右下方向に線を引くと下記単母音文字（３４）が入力され、右方向に線を引くと下記単母音文字（３５）が入力される。
【０２６２】
2012160192.tif 000177
【０２６３】
2012160192.tif 000178
【０２６４】
2012160192.tif 000179
【０２６５】
2012160192.tif 000180
【０２６６】  また、下記長母音文字（３６）、下記長母音文字（３７）、下記長母音文字（３８）の入力の際に、上記入力キー４８上で、左上方向に線を引くと下記長母音文字（３６）が入力され、左下方向に線を引くと下記長母音文字（３７）が入力され、左方向に線を引くと下記長母音文字（３８）が入力される。
【０２６７】
2012160192.tif 000181
【０２６８】
2012160192.tif 000182
【０２６９】
2012160192.tif 000183
【０２７０】  また、上記入力キー４８上で、上方向に線を引くと下記二重母音文字（３９）が入力され、下方向に線を引くと下記二重母音文字（４０）が入力される。
【０２７１】
2012160192.tif 000184
【０２７２】
2012160192.tif 000185
【０２７３】  下記入力キー４９上で、左上方向に線を引くと、目的格を示す下記タンウィーン文字（４１）（ａｎ）が入力され、左下方向に線を引くと、所有格を示す下記タンウィーン文字（４２）（ｉｎ）が入力され、左方向に線を引くと、主格を示す下記タンウィーン文字（４３）（ｕｎ）が入力される。
【０２７４】
2012160192.tif 000186
【０２７５】
2012160192.tif 000187
【０２７６】
2012160192.tif 000188
【０２７７】
2012160192.tif 000189
【０２７８】  また、上記入力キー４９上で、右上方向に線を引くと、同じ子音が連続するときに付ける下記文字（４４）が入力され、右下方向に線を引くと、男性形の名詞又は形容詞に付けて女性形に変える下記文字（４５）が入力され、右方向に線を引くと、母音のない子音に付ける下記文字（４６）が入力される。
【０２７９】
2012160192.tif 000190
【０２８０】
2012160192.tif 000191
【０２８１】
2012160192.tif 000192
【符号の説明】
【０２８２】１    入力部
２    表示部
【図１】
2012160192.tif 000198
【図２】
2012160192.tif 000199
【図３】
2012160192.tif 000200
【図４】
2012160192.tif 000201
【図５】
2012160192.tif 000202